(57)【要約】【課題】本発明では前記の問題に鑑み、マイクロムーブメントを抑制できるがアバットメントの取り外しが難しい、テーパー角度の小さいテーパー嵌合のインプラントシステムにおいて、インプラント体からアバットメントを容易に取り外しできるアバットメント分離用ツールを提供することを課題とする。【解決手段】インプラント体とアバットメントとを分離させる際、先端が棒形状でアバットメントのアクセスホール径よりもわずかに太い雄ネジ形状を備え、さらにその上部に螺進用の構造を備えたアバットメント分離用ツールを挿入し螺進することで、当該ツールのネジ形状がアバットメントのアクセスホールに塑性的に食い込む又はタッピングし、さらに当該ツールを螺進することで当該ツールの先端がインプラント体に到達し、その後当該ツール先端がインプラント体に圧接し雄ネジの回転に合わせアバットメントが押し上がることにより、インプラント体とアバットメントとのテーパー嵌合が解放されアバットメントを容易に取り外すことが可能となる。【選択図】図１
2017196363.tif 000002
【特許請求の範囲】
【請求項１】
テーパー嵌合の体内インプラントシステムにおいて、インプラント体とアバットメントとを分離させる際、先端が棒形状でアバットメントのアクセスホール径又はネジ貫通部径よりもわずかに太い雄ネジ形状を備え、さらにその上部に螺進用の構造を備えたアバットメント分離用ツールを用いることで、ネジがアバットメントのアクセスホール内又はネジ貫通部内に塑性的に食い込む又はタッピングし、さらにツール先端がインプラント体に圧接することにより、インプラント体とアバットメントとのテーパー嵌合が解放され、アバットメントを取り外すことができることを特徴としたアバットメント分離用ツール。
【請求項２】
インプラント体とアバットメントとを連結するネジを撤去した後、先端がインプラント体のネジ穴径より細い棒形状でアバットメントのアクセスホール径又はネジ貫通部径よりもわずかに太い雄ネジ形状を備え、さらにその上部に螺進用の構造を備えたアバットメント分離用ツールを挿入し螺進することで、当該ツールのネジ形状がアバットメントのアクセスホール又はネジ貫通部に塑性的に食い込む又はタッピングし、さらに当該ツールを螺進することで当該ツールの先端がインプラント体のネジ穴底に到達し、その後当該ツール先端がインプラント体のネジ底に圧接し雄ネジの回転に合わせアバットメントが押し上がることにより、インプラント体とアバットメントとのテーパー嵌合が解放されアバットメントを容易に取り外すことができることを特徴とした請求項１に記載のアバットメント分離用ツール。
【請求項３】
インプラント体とアバットメントとを連結するネジを緩めた後ネジが残留した状態で、先端がアバットメントのアクセスホール径より細い棒形状でアバットメントのアクセスホール径よりもわずかに太い雄ネジ形状を備え、さらにその上部に螺進用の構造を備えたアバットメント分離用ツールを挿入し螺進することで、当該ツールのネジ形状がアバットメントのアクセスホールに塑性的に食い込む又はタッピングし、さらに当該ツールを螺進することで当該ツールの先端がネジ頭部に到達し、その後当該ツール先端がネジ頭部に圧接し雄ネジの回転に合わせアバットメントが押し上がることにより、インプラント体とアバットメントとのテーパー嵌合が解放されアバットメントを容易に取り外すことができることを特徴とした請求項１に記載のアバットメント分離用ツール。
【請求項４】
ネジがアバットメントのアクセスホール内又はネジ貫通部内に塑性的に食い込む又はタッピングするパーツと、先端がインプラント体またはインプラント体とアバットメントとを連結するネジを緩めた後撤去せずに残留したネジを圧接するパーツによる複数のパーツから構成され、ネジがアバットメントのアクセスホール内又はネジ貫通部内に塑性的に食い込む又はタッピングするパーツには螺進用の構造とパーツ内部に貫通雌ネジ穴を備え、先端がインプラント体またはインプラント体とアバットメントとを連結するネジを緩めた後撤去せずに残留したネジを圧接するパーツには螺進用の構造と上記パーツ内部に螺合する雄ネジ部を備えることを特徴とする請求項１から３に記載のアバットメント分離用ツール。
【請求項５】
螺進用の構造が、ドリルやハンドピースに接続可能な形状、四角や六角の凹又は凸形状、プラス、マイナス等の規格形状、ラチェットレンチ等に接続可能な形状、手指にて螺進させるための形状の内、１つ又は複数の組み合わせの形状により構成されたことを特徴とする請求項１から４に記載のアバットメント分離用ツール。
【発明の詳細な説明】
【発明の詳細な説明】
【技術分野】
【０００１】  本発明は、歯科用インプラントをはじめとする体内インプラント体に接続して使用するアバットメント等の着脱に使用するツールに関する。
【背景技術】
【０００２】  事故や疾病等の理由で人体の一部を欠損した場合、欠損した部位を義歯や義眼、義肢等で補完する治療方法が存在する。
それらの治療方法の内インプラント治療では、欠損部付近の骨にアンカーとなるインプラント体を埋植し、そのインプラント体にアバットメント等の接続装置を介して欠損パーツを装着し、欠損部に固定する。【０００３】  歯科用インプラントで具体例を挙げる。歯牙欠損部位の顎骨にインプラント体を埋植し、骨が治癒してインプラント体と顎骨が一体化した後に補綴物（歯冠）の支台となるアバットメントをインプラント体に接続し、そのアバットメントの上に歯冠を装着し、咬合機能を回復する。【０００４】  特許文献１をはじめとする、一般的な歯科用インプラントの構造を図２２から図２４に示す。図２２ではインプラントの構造を示しており、インプラント体２６及び２７は雄又は雌の、六角や八角を有する回転防止の接続部２８及び２９を有し、アバットメント３０及び３１にはそれに対応した雌又は雄の、六角や八角を有する接続部３２及び３３が存在し、接続部同士で接続した後、ネジ３４及び３５でアバットメントとインプラント体とを図２３のように固定する。【０００５】  また、歯冠はアバットメントの形状に合わせたフレーム又は歯冠を鋳造し、フレームには陶材やレジンで歯牙形状に築盛して作成、又はセラミックス等を削り出して作成し、アバットメントに接着又はネジ止めし、最終的に図２４のようになる。
【先行技術文献】
【０００６】
【特許文献１】特開平７−２７５２６６
【発明の開示】
【発明が解決しようとする課題】
【０００７】  近年、歯科用インプラントにおいてはインプラント体とアバットメントにおける接合部の微小な動揺、いわゆるマイクロムーブメントが原因となる骨吸収が発生するために、図２２のように接合方式が面と面を合わせるバットジョイントではなく、図２５のようなテーパージョイントのインプラントシステムが増加してきている。テーパージョイントのインプラントシステムの場合、インプラント体とアバットメントとが楔の様に強固に嵌合するため、マイクロムーブメントを抑制できる。【０００８】  図２５に示すテーパージョイントのインプラントシステムも、基本的にはインプラント体７、アバットメント６、そしてネジ９からなる。インプラント体とアバットメントにはそれぞれ、六角や八角を有する回転防止の接続部１１ａ、１１と、テーパー嵌合による接続部８ａ、８がある。【０００９】  テーパージョイントのインプラントシステムの場合、テーパーの角度が小さければ小さいほど、嵌合は強固になる。しかしながらその一方、インプラント体からアバットメントを外す際に、ネジを外してもアバットメントがインプラント体に楔の様に食い込んだままで、容易に外すことができない場合がある。逆にテーパーの角度が大きい場合、アバットメントの取り外しは容易になるが、マイクロムーブメントを抑制する効果を失う。【００１０】  本発明では前記の問題に鑑み、マイクロムーブメントを抑制できるがアバットメントの取り外しが難しい、テーパー角度の小さいテーパー嵌合のインプラントシステムにおいて、インプラント体からアバットメントを容易に取り外しできるアバットメント分離用ツールを提供することを課題とする。
【課題を解決するための手段】
【００１１】  本発明は、前記問題を解決すべく鋭意検討した結果、材質としては金属で、先端が棒形状であり、その上にアバットメントのアクセスホール径よりもわずかに太い雄ネジ形状を備え、さらにその上部に螺進用の構造を備えたアバットメント分離用ツールを用いることで、ネジがアバットメントのアクセスホール内に塑性的に食い込む又はタッピングし、さらにツール先端がインプラント体に圧接することにより、インプラント体とアバットメントとのテーパー嵌合が解放され、アバットメントを取り外すことができることを特徴としたアバットメント分離用ツールを提供するものである。【００１２】  即ち本発明は、インプラント体とアバットメントとを連結するネジを撤去した後、先端がインプラント体のネジ穴径より細い棒形状で、その上部にアバットメントのアクセスホール径よりもわずかに太い雄ネジ形状を備え、さらにその上部に螺進用の構造を備えたアバットメント分離用ツールを挿入し螺進することで、当該ツールのネジ形状がアバットメントのアクセスホールに塑性的に食い込む又はタッピングし、さらに当該ツールを螺進することで当該ツールの先端がインプラント体のネジ穴底に到達し、その後当該ツール先端がインプラント体のネジ底に圧接し雄ネジの回転に合わせアバットメントが押し上がることにより、インプラント体とアバットメントとのテーパー嵌合が解放されアバットメントを容易に取り外すことが可能となる。【００１３】  当該ツールは、全長がインプラント体とアバットメントが接続された状態におけるインプラント体のネジ穴底からアバットメントの先端までより長く、雄ネジ部より先端方向の径が、ツールをアバットメントのアクセスホールから挿入し先端がインプラント体のネジ穴底まで到達する際に干渉しない寸法であることが求められる。【００１４】  また当該ツールは、使用時に必ずしもネジが撤去されている必要はなく、ネジがインプラント体から外れていればそのままその場所に残留していてもよい。即ち、ネジはインプラント体のネジ穴の上に乗っている状態である。その場合、ツール先端はネジの頭に圧接する形になるので、当該ツールの先端径はアバットメントのアクセスホールに挿入する際に干渉しなければよく、また全長に関しても、ネジを撤去した場合に使用するツールよりは短くてもよい。【００１５】  雄ネジ部は、アバットメントのアクセスホール径に対しほぼ同径〜＋０．２ｍｍとわずかに太く、雄ネジ部の位置が、ツール先端部がインプラント体のネジ穴底部または緩んだネジの頭部に接した際にアバットメントのネジ座面よりも高く、かつ雄ネジ部がアバットメントのアクセスホールに少なくとも０．１ｍｍ以上、好ましくは０．４ｍｍから１ｍｍ程度干渉するように設置されている必要がある。【００１６】  雄ネジの形状は、ネジ形状またはタップ形状が好ましい。ただし、アバットメントのアクセスホールに塑性的に食い込ませる又はタッピングし、アバットメントと当該ツールを一体化することが目的であるため、規格のネジ形状で製作される必要は無く、ネジピッチやネジの山谷径、及び山谷形状等は自由に設計できる。【００１７】  上記の他、当該ツールを螺進させるための機構がツール上部に必要であるが、形状に���限は無く、例えば、ドリルやハンドピースに接続可能な形状、四角や六角の凹又は凸形状、プラス、マイナス等の規格形状、ラチェットレンチ等に接続可能な形状、手指にて螺進させるための形状の内、１つ又は複数の組み合わせの形状が例示される。
【発明の効果】
【００１８】  本発明のツールによれば、使用時のマイクロムーブメントは抑制できるがアバットメントの取り外しが難しいテーパー嵌合のインプラント体において、ネジを撤去した後に当該ツールを挿入し螺進することでアバットメントとインプラント体の楔嵌合が解放され、アバットメントを容易に取り外すことが可能となる。また、本発明においてはアバットメントへの加工が不要なため、図２５に示すような構成のインプラントシステムであれば、アバットメントの穴径等の寸法が合致するものを選択すれば、インプラントのメーカーやタイプに関わらず使用可能であるという特徴を有する。
【発明を実施するための形態】
【００１９】  以下に、本発明に係るツールの一実施例における使用形態を、図１〜図４に基づいて詳細に説明する。
【００２０】  図１は本発明に係るツールの斜視図である。ツール１は先端部２、雄ネジ部３、軸部４、そして螺進部５からなる。この構成の内、軸部は必ずしも必要ではなく、軸部４の部分まで雄ネジ部３が兼ねても差し支えない。また、本実施例では螺進部５が四角の凸形状になっているが、他の形状でも構わない。
【００２１】  図２はアバットメント６とインプラント体７がテーパー嵌合により接続された状態の図及びその断面図である。テーパージョイントのインプラントシステムの場合、テーパー嵌合による接続部８、８ａで楔嵌合が成立しており、仮にネジ９を撤去してもアバットメント６をインプラント体７から分離させることができない。
【００２２】  図３左は上記図２右から、別途用意したドライバー等を用いてネジ９を撤去し、ツール１を挿入した状態の断面図である。雄ネジ部３がアバットメント６のアクセスホール１０に干渉するまでは抵抗なく挿入できる。図３中は螺進部５に螺進用のツール（本実施例ではラチェットレンチ１２）を接続し、ツール１を螺進させていき、ツール先端部２がインプラント体７のネジ穴底に接触した状態の断面図である。雄ネジ部３はアクセスホール１０内部に塑性的に食い込む又はタッピングしながら螺進していく。アバットメント６はツール１の螺進とともに回転しようとする力が加わるが、テーパージョイントの楔嵌合の効果及び回転防止機構１１、１１ａの存在により、動かない。図３右はツール１をさらに螺進させることで先端部２がインプラント体のネジ穴底に圧接され、アバットメント６はツール１とネジにより接合していることから、アバットメント６は上方向に動き、テーパー嵌合である接続部８、８ａの楔嵌合が解放されてアバットメント６がインプラント体７から分離したところを示す断面図である。
【００２３】  図４は、図３右の拡大図であり、アバットメント６がインプラント体７から分離している状態を示す断面図である。先端部２がインプラント体７のネジ穴底に圧接した状態でさらに螺進することで、アバットメント６は雄ネジ部３のネジピッチに従いインプラント体７から浮き上がる方向に移動する。その結果として、テーパー嵌合による接続部８、８ａの楔嵌合が解放されてアバットメント６がインプラント体７から分離する。
【００２４】  当該ツール構造の変形例を図５〜図７に基づいて詳細に説明する。
【００２５】  図５は本発明に係るツールの斜視図である。ツール１ａはツール１と同じく先端部２、雄ネジ部３、軸部４、そして螺進部５からなる。この構成の内、軸部は必ずしも必要ではなく、軸部４の部分まで雄ネジ部３が兼ねても差し支えない。また、本実施例では螺進部５が四角の凸形状になっているが、他の形状でも構わない。ツール１ａをツール１と比較すると、雄ネジ部３の位置が低く、また雄ネジ部３のネジはアバットメントのアクセスホールでは無く、ネジ貫通穴の内部に塑性的に食い込む又はタッピングするよう設計されている。
【００２６】  図６左は上記図２右から、別途用意したドライバー等を用いてネジ９を撤去し、ツール１ａを挿入した状態の断面図である。雄ネジ部３がアバットメント６のネジ貫通穴１３に干渉するまでは抵抗なく挿入できる。図６中は螺進部５に螺進用のツール（本実施例ではラチェットレンチ１２）を接続し、ツール１ａを螺進させていき、ツール先端部２がインプラント体７のネジ穴底に接触した状態の断面図である。雄ネジ部３はネジ貫通穴内部に塑性的に食い込む又はタッピングしながら螺進していく。アバットメント６はツール１ａの螺進とともに回転しようとする力が加わるが、テーパージョイントの楔嵌合の効果及び回転防止機構１１、１１ａの存在により、動かない。図６右はツール１ａをさらに螺進させることで先端部２がインプラント体のネジ穴底に圧接され、アバットメント６はツール１ａとネジにより接合していることから、アバットメント６は上方向に動き、テーパー嵌合である接続部８、８ａの楔嵌合が解放されてアバットメント６がインプラント体７から分離したところを示す断面図である。
【００２７】  図７は、図６右の拡大図であり、アバットメント６がインプラント体７から分離している状態を示す断面図である。先端部２がインプラント体７のネジ穴底に圧接した状態でさらに螺進することで、アバットメント６は雄ネジ部３のネジピッチに従いインプラント体７から浮き上がる方向に移動する。その結果として、テーパー嵌合による接続部８、８ａの楔嵌合が解放されてアバットメント６がインプラント体７から分離する。
【００２８】  尚、上記ツールの実施例においては、インプラント体７とアバットメント６とを連結するネジを撤去した後にツールを使用する方法を例示しているが、必ずしもネジを撤去する必要はなく、ネジを残したまま当該ツールを使用する方法もある。
【００２９】  上述したネジを残したまま当該ツールを使用する方法の一実施例を図８〜図１２に基づいて詳細に説明する。
【００３０】  図８は本実施例に使用するツール１ｂの斜視図であり、ツール１と同じく先端部２、雄ネジ部３、軸部４、そして螺進部５からなる。この構成の内、軸部４は必ずしも必要ではなく、軸部４の部分まで雄ネジ部３が兼ねても差し支えない。また、本実施例では螺進部５が四角の凸形状になっているが、他の形状でも構わない。
【００３１】  図９は図２から別途用意したドライバー等を用いてネジ９を完全に緩めた状態の断面図である。ネジ９は、インプラント体７のネジ穴の上に乗っている状態で、インプラント体７とネジ９とは連結されていない状態である。
【００３２】  図１０はツール１ｂを挿入した状態の断面図である。雄ネジ部３がアクセスホール１０に干渉するまでは抵抗なく挿入できる。
【００３３】  図１１左は螺進部５にラチェットレンチ１２を接続し、ツール１ｂを螺進させていき、ツール先端部２がネジ９に接触した状態の断面図である。雄ネジ部３はアクセスホール１０内部を塑性的に食い込む又はタッピングしながら螺進していく。図１１右はツール１ｂをさらに螺進させることで先端部２がネジ９の頭部に圧接され、その後テーパー嵌合である接続部８、８ａの楔嵌合が解放されてアバットメント６がインプラント体７から分離したところを示す断面図である。
【００３４】  図１２は図１１右の拡大図である。このとき、ネジ９はインプラント体７と連結されていないため、アバットメント６と共にインプラント体７から分離する。
【００３５】  さらに、当該ツール構造の変形例として、複数のパーツから成り立つアバットメント分離用ツールを使用する実施例について、図１３から図２０に基づいて詳細に説明する。
【００３６】  図１３はツールの斜視図及びその断面図であり、ツール１４、及び１４ａとツール１９からなる。ツール１４及び１４ａはツール１９と共に使用し、ツール１９の雌ネジ部２２に、ツール１４及び１４ａのネジ部１６を螺入して接続し使用する。
【００３７】  ツール１４及び１４ａは先端部１５、雄ネジ部１６、軸部１７、そして螺進部１８からなる。ここで先端部１５は、ツール１９の雌ネジ部２２を通過するため、雌ネジ部２２よりも細い必要がある。この構成の内、軸部１７は必ずしも必要ではなく、軸部１７の部分まで雄ネジ部１６が兼ねても差し支えない。また、本実施例では螺進部１８が四角の凸形状になっているが、他の形状でも構わない。雄ネジ部１６は、他の実施例におけるツールの雄ネジ部（図１の３、図５の３、及び図８の３）とは異なり、タッピング機能等を有していない、単純なネジ構造である。
【００３８】  ツール１９は、タップネジ部２０と螺進部２１、及び雌ネジ部２２からなる。雌ネジ部２２は途中までしかネジ切りが施されていないが、穴全てにネジ切り加工が施されていても差し支えない。タップネジ部２０はアバットメントのアクセスホール内部に塑性的に食い込む又はタッピングするよう設計されている。また、本実施例では螺進部２１が四角の凸形状になっているが、他の形状でも構わない。
【００３９】  図１４は上記図２から、別途用意したドライバー等を用いてネジ９を撤去し、ツール１９を挿入した状態の断面図である。タップネジ部２０がアバットメント６のアクセスホール１０に干渉するまでは抵抗なく挿入できる。
【００４０】  図１５は螺進部２１に螺進用のツール（本実施例ではラチェットレンチ１２）を接続し、ツール１９を螺進させていき、タップネジ部２０がアクセスホール１０内部に塑性的に食い込む又はタッピングしながら螺進していく状態を示す断面図である。これにより、アバットメント６とツール１９とが一体化される。
【００４１】  図１６はツール１９の雌ネジ部２２にツール１４を挿入した状態を示す断面図である。雄ネジ部１６が雌ネジ部２２に干渉するまでは抵抗なく挿入できる。
【００４２】  図１７はツール１４の螺進部１８に螺進用のツール（本実施例ではラチェットレンチ１２）を接続し、ツール１４を螺進させていき、先端部１５がインプラント体７のネジ穴底に到達した状態を示す断面図である。
【００４３】  図１８は、さらにツール１４を螺進させることで、先端部１５がインプラント体のネジ穴底に圧接され、アバットメント６はツール１９とタップネジ部２０により一体化していることから、アバットメント６は上方向に動き、テーパー嵌合である接続部８、８ａの楔嵌合が解放されてアバットメント６がインプラント体７から分離したところを示す断面図である。
【００４４】  図１９は図１８の拡大図であり、テーパー嵌合である接続部８、８ａの楔嵌合が解放されてアバットメント６がインプラント体７から分離したところを示している。
【００４５】  また、ツール１４ではなくツール１４ａを使用することによって、図８〜図１２で示したツール１ｂと同様に、ネジ９をインプラント体７の中に緩んだ状態で残置したままアバットメントを分離させることが可能である。詳細な説明は図９〜図１２及び図１４〜図１９と重複するため割愛するが、その途中過程を図２０に示す。
【００４６】  さらに、ツール１４または１４ａとツール１６とは、あらかじめ組み合わせてから使用することも可能であり、その場合はツールツール１４または１４ａの先端部１５がガイドとなり、スムーズにアクセスホール１０にタップネジ部２０を誘導できる。
【００４７】図１〜図２０で示した実施例においては、  図による説明をより理解しやすくするため、アバットメントの状態での着脱を説明したが、当然ながらアバットメントに上部補綴物が装着された状態においても同様の着脱機構は維持される。一般的に、患者の口腔内では、インプラント体は図２１左のような形態となっており、インプラント体７が骨内に埋植された状態で機能している。
【００４８】  図２１右はその断面図であり、メンテナンス等でアバットメントを取り外す必要が生じた際は、アクセスホールに続く穴を封鎖しているレジン等２５を除去し、さらにネジを保護している綿球等２４を取り除くことで図２と同じ状態になる。
【００４９】また、本発明に係るツールの肝要な部分である、ツールのネジがアバットメントのアクセスホール内に塑性的に食い込む又はタッピングした場合においても、その食い込みはアバットメントのアクセスホール径に対しほぼ同径〜＋０．２ｍｍとわずかに太いのみであり、アバットメント６と上部補綴物２３の接続状態に影響を及ぼすものではない。
【００５０】    本発明により、マイクロムーブメントを抑制できるがアバットメントの取り外しが難しいテーパー角度の小さいテーパー嵌合のインプラントシステムにおいて、インプラント体からアバットメントを容易に取り外しできるアバットメント分離用ツールを提供する。
【００５１】  また、本発明は着脱したいアバットメント、及びインプラント体の構造に合わせてツールを設計すればよいため、既存のインプラントシステムに変更を加える必要が無く歯科領域に限らず、例えば、頭蓋、顎、顔面の復元外科、美容外科、形成外科、整形外科、口腔外科、耳鼻咽喉科等の分野においての治療に使用することができる。
【図面の簡単な説明】
【００５２】
【図１】本発明に係るツールの一実施例における構造を示す斜視図である。
【図２】本発明に係るツールを使用する前のテーパージョイントタイプの歯科用インプラントが接続した状態を示した斜視図及び断面図である。
【図３】本発明に係るツールの一実施例における使用形態を説明する図であり、ネジを取り外したインプラント体（及びテーパー嵌合したアバットメント）にツールを差し込み、ラチェットレンチでツールを螺進させている状態を示す断面図である。
【図４】図３右の拡大図であり、テーパー嵌合が解放されてインプラント体とアバットメントとが分離している状態を示す断面図である。
【図５】本発明に係るツールの、変形例の構造を示す斜視図である。
【図６】本発明に係るツールの変形例の一実施例における使用形態を説明する図であり、ネジを取り外したインプラント体（及びテーパー嵌合したアバットメント）にツールを差し込み、ラチェットレンチでツールを螺進させている状態を示す断面図である。
【図７】図６右の拡大図であり、テーパー嵌合が解放されてインプラント体とアバットメントとが分離している状態を示す断面図である。
【図８】本発明に係るツールの、図１とは異なる一実施例における構造を示す斜視図である。
【図９】本発明に係るツールの図１とは異なる一実施例における使用形態を説明する図であり、インプラント体とアバットメントとを連結するネジを緩め、ネジがインプラント体のネジ穴の上に乗っているだけの状態を示す断面図である。
【図１０】本発明に係るツールの図１とは異なる一実施例における使用形態を説明する図であり、ネジを緩めたインプラント体（及びテーパー嵌合したアバットメント）にツールを差し込んだ状態を示す断面図である。
【図１１】本発明に係るツールの図１とは異なる一実施例における使用形態を説明する図であり、ネジを緩めたインプラント体（及びテーパー嵌合したアバットメント）にツールを差し込み、ラチェットレンチでツールを螺進させている状態を示す断面図である。
【図１２】図１１右の拡大図であり、テーパー嵌合が解放されてインプラント体とアバットメントとが分離している状態を示す断面図である。
【図１３】本発明に係るツールの、複数パーツから構成される変形例の構造を示す斜視図及び断面図である。
【図１４】本発明に係るツールの、複数パーツから構成される変形例における使用形態を説明する図である。
【図１５】本発明に係るツールの、複数パーツから構成される変形例における使用形態を説明する図である。
【図１６】本発明に係るツールの、複数パーツから構成される変形例における使用形態を説明する図である。
【図１７】本発明に係るツールの、複数パーツから構成される変形例における使用形態を説明する図である。
【図１８】本発明に係るツールの、複数パーツから構成される変形例における使用形態を説明する図である。
【図１９】図１８の拡大図である。
【図２０】本発明に係るツールの、複数パーツから構成される変形例における別パーツを使用した場合の使用形態を説明する図である。
【図２１】本発明に係るツールを使用する前のテーパージョイントタイプの歯科用インプラントが接続した状態を示した斜視図及び断面図であり、実際の口腔内で使用されてる場合と同様に上部補綴物が装着されている状態を示す図である。。
【図２２】一般的なバットジョイントタイプの歯科用インプラントの構造を示した斜視図である。
【図２３】一般的なバットジョイントタイプの歯科用インプラントを接続した状態を示した斜視図である。
【図２４】一般的なバットジョイントタイプの歯科用インプラントに歯冠形態を装着した状態を示した斜視図である。
【図２５】一般的なテーパージョイントタイプの歯科用インプラントの構造、及び接続した状態を示した斜視図である。
【符号の説明】
【００５３】  １：アバットメント分離ツール
２：先端部（ツール）
３：ネジ部（ツール）
４：軸部（ツール）
５：螺進部（ツール）
６：アバットメント（テーパージョイント）
７：インプラント体（テーパージョイント）
８：テーパー部（テーパージョイント）
９：ネジ（テーパージョイント）
１０：アバットメントホール（テーパージョイント）
１１：回転防止機構（テーパージョイント）
１２：ラチェットレンチ
１３：ネジ貫通穴（テーパージョイント）
１４：アバットメント分離ツールＡ（２パーツツールＡ）
１５：先端部（２パーツツールＡ）
１６：ネジ部（２パーツツールＡ）
１７：軸部（２パーツツールＡ）
１８：螺進部（２パーツツールＡ）
１９：アバットメント分離ツールＢ（２パーツツールＢ）
２０：タップネジ部（２パーツツールＢ）
２１：螺進部（２パーツツールＢ）
２２：雌ネジ部（２パーツツールＢ）
２３：上部補綴物
２４：レジン等
２５：綿球等
２６：インプラント体（バットジョイント・インターナル）
２７：インプラント体（バットジョイント・エクスターナル）
２８：インプラント体の回転防止機構（バットジョイント・インターナル）
２９：インプラント体の回転防止機構（バットジョイント・エクスターナル）
３０：アバットメント（バットジョイント・インターナル）
３１：アバットメント（バットジョイント・エクスターナル）
３２：アバットメントの回転防止機構（バットジョイント・インターナル）
３３：アバットメントの回転防止機構（バットジョイント・エクスターナル）
３４：ネジ（バットジョイント・インターナル）
３５：ネジ（バットジョイント・エクスターナル）
【図１】
2017196363.tif 000003
【図２】
2017196363.tif 000004
【図３】
2017196363.tif 000005
【図４】
2017196363.tif 000006
【図５】
2017196363.tif 000007
【図６】
2017196363.tif 000008
【図７】
2017196363.tif 000009
【図８】
2017196363.tif 000010
【図９】
2017196363.tif 000011
【図１０】
2017196363.tif 000012
【図１１】
2017196363.tif 000013
【図１２】
2017196363.tif 000014
【図１３】
2017196363.tif 000015
【図１４】
2017196363.tif 000016
【図１５】
2017196363.tif 000017
【図１６】
2017196363.tif 000018
【図１７】
2017196363.tif 000019
【図１８】
2017196363.tif 000020
【図１９】
2017196363.tif 000021
【図２０】
2017196363.tif 000022
【図２１】
2017196363.tif 000023
【図２２】
2017196363.tif 000024
【図２３】
2017196363.tif 000025
【図２４】
2017196363.tif 000026
【図２５】
2017196363.tif 000027